(57)【要約】      （修正有）【課題】ヘルメットのサイズにかかわらず、同一部材で効率的な換気を行える換気ダクトを実現して、ヘルメットを安価に提供する。【解決手段】換気ダクト１は、帽体Ａ１の左右に夫々配置される左ダクト部３Ｌ及び右ダクト部３Ｒと、左右ダクト部３Ｌ、３Ｒの間に配置される中央ダクト部２とを具備する。左右ダクト部３Ｌ、３Ｒを、帽体Ａ１の外表面Ａ１０の、左右ダクト部３Ｌ、３Ｒの配置位置に設定された係合支持部材４Ｌ、４Ｒ及び中央ダクト部２によって、帽体Ａ１の前後方向及び左右方向、並びに帽体Ａ１から離間する方向への移動を制限して保持する。【選択図】図１
2015098660.tif 000002
【特許請求の範囲】
【請求項１】
ヘルメットの最外層を構成する帽体の外表面に、前記ヘルメットの内面と前記外表面を貫通するように設けられた換気口を覆うと共に、前記換気口から換気される空気を案内する換気ダクトを備えたヘルメットであって、
前記換気ダクトは、前記帽体の左右に夫々配置される左ダクト部及び右ダクト部と、前記左ダクト部と前記右ダクト部の間に配置される中央ダクト部とを具備し、
前記左ダクト部及び前記右ダクト部は、前記帽体の外表面の、前記左ダクト部及び前記右ダクト部の配置位置に設定された係合支持部材及び前記中央ダクト部によって保持される構造を有し、
前記係合支持部材は、前記帽体の外表面に対する前記左ダクト部及び前記右ダクト部の、前記帽体の厚み方向外側への離脱を防ぐと共に、前記外表面上の前後方向の移動の少なくとも一方の移動を制限する第一係合支持部と、前記外表面上の左右方向の移動の少なくとも一方の移動を制限する第二係合支持部とを備え、
前記左ダクト部及び前記右ダクト部は、夫々前記第一係合支持部に係合する第一係合部と、前記第二係合支持部と係合する第二係合部と、前記中央ダクト部の左右側部に設けられた挿入口に挿入される挿入部を備え、
前記中央ダクト部は、前記挿入部が前記挿入口に挿入された状態で、取り付け部を介して前記外表面に固定することで、前記挿入部の挿入状態を前記挿入口と前記外表面とで保持すると共に、前記左ダクト部及び前記右ダクト部の前記第一係合部の係合状態及び前記第二係合部の係合状態と、前記中央ダクト部の前記外表面に対する取り付け状態とを保持して、前記左ダクト部及び前記右ダクト部を前記外表面に固定することを特徴とするヘルメット。
【請求項２】
前記第一係合支持部が制限する前記左ダクト部及び右ダクト部の前記外表面上の前後の移動方向が後方であって、前記第二係合支持部が制限する前記左ダクト部及び前記右ダクト部の前記外表面上の左右の移動方向が、前記中央ダクト部に対して離間する方向であることを特徴とする請求項１記載のヘルメット。
【請求項３】
前記第一係合支持部と前記第二係合支持部が一体形成されていることを特徴とする請求項１又は２記載のヘルメット。
【請求項４】
前記挿入口に挿入される前記挿入部の挿入長さを調節可能とし、前記挿入部の挿入長さを調節することによって、前記第一係合支持部及び前記第二係合支持部の位置を変更可能とすると共に、前記左ダクト部と、前記右ダクト部と、前記中央ダクト部とを組み合わせた前記換気ダクト全体の大きさを変更可能としたことを特徴とする請求項１乃至３いずれか１記載のヘルメット。
【発明の詳細な説明】
【技術分野】
【０００１】
本発明は、オートバイや自動車等の移動器具に乗車する運転者の頭部を保護するために着用するヘルメットに関し、ヘルメット内を換気する機能を有するヘルメットに関する。
【背景技術】
【０００２】
ヘルメット内を換気する機能を有するヘルメットは、ヘルメットの最外層を構成する帽体の外表面に、ヘルメットの内面と外表面を貫通するように設けられた換気口を覆うと共に、換気口から換気される空気を案内する換気ダクトを備えたヘルメットが知られている。
【０００３】
下記、特許文献１に記載の換気ダクトは、帽体の後方側に配置される左右二本の後方ダクト部と、このダクト部を帽体の前方側で繋ぐように配置される前方ダクト部とを具備し、これら、後方ダクト部と前方ダクト部とを一体形成して構成されている。
【先行技術文献】
【特許文献】
【０００４】
【特許文献１】特開平１０−５３９１５号公報
【発明の概要】
【発明が解決しようとする課題】
【０００５】
前述の換気口の位置は、換気効率が最も高い部位に設定され、この換気口を覆う換気ダクトも、換気口の換気効率を低下させないように、換気口を最適な位置で覆うことができる大きさに形成されている。
【０００６】
この換気口の位置は、ヘルメットの個々のサイズによって、帽体左右の換気口間の距離が異なっているため、サイズが異なるヘルメット毎に、換気口を最適な位置で覆うことができる大きさの換気ダクトを用意する必要がある。
【０００７】
すなわち、換気ダクトの大きさ毎に応じた成形型の製作や、大きさが異なる換気ダクトの部品管理等を要し、ヘルメットを製造するための各種コストがかかるという問題があった。
【０００８】
本発明は、このような問題に対処することを課題の一例とするものである。すなわち、ヘルメットのサイズにかかわらず、同一部材で効率的な換気を行える換気ダクトを実現できること、換気ダクトを有するヘルメットの製造コストを低減できること、換気口の換気効率を低減することなく換気ダクトの帽体の外表面への取付けが正確にできること、これにより、効率的な換気を行えるヘルメットを安価に製造することができること、等が本発明の目的である。
【課題を解決するための手段】
【０００９】
このような目的を達成するために、本発明によるヘルメットは、以下の構成を少なくとも具備するものである。
【００１０】
ヘルメットの最外層を構成する帽体の外表面に、前記ヘルメットの内面と前記外表面を貫通するように設けられた換気口を覆うと共に、前記換気口から換気される空気を案内する換気ダクトを備えたヘルメットであって、前記換気ダクトは、前記帽体の左右に夫々配置される左ダクト部及び右ダクト部と、前記左ダクト部と前記右ダクト部の間に配置される中央ダクト部とを具備し、前記左ダクト部及び前記右ダクト部は、前記帽体の外表面の、前記左ダクト部及び前記右ダクト部の配置位置に設定された係合支持部材及び前記中央ダクト部によって保持される構造を有し、前記係合支持部材は、前記帽体の外表面に対する前記左ダクト部及び前記右ダクト部の、前記帽体の厚み方向外側への離脱を防ぐと共に、前記外表面上の前後方向の移動の少なくとも一方の移動を制限する第一係合支持部と、前記外表面上の左右方向の移動の少なくとも一方の移動を制限する第二係合支持部とを備え、前記左ダクト部及び前記右ダクト部は、夫々前記第一係合支持部に係合する第一係合部と、前記第二係合支持部と係合する第二係合部と、前記中央ダクト部の左右側部に設けられた挿入口に挿入される挿入部を備え、前記中央ダクト部は、前記挿入部が前記挿入口に挿入された状態で、取付け部を介して前記外表面に固定することで、前記挿入部の挿入状態を前記挿入口と前記外表面とで保持すると共に、前記左ダクト部及び前記右ダクト部の前記第一係合部の係合状態及び前記第二係合部の係合状態と、前記中央ダクト部の前記外表面に対する取付け状態とを保持して、前記左ダクト部及び前記右ダクト部を前記外表面に固定することを特徴とするヘルメットである。
【図面の簡単な説明】
【００１１】
【図１】本発明に係る一実施形態のヘルメットを示す平面図である。
【図２】図１の要部拡大図で、一部切欠して示す。
【図３】図２の（III）−（III）線断面図である。
【図４】図２の（IV）−（IV）線断面図である。
【図５】図２の（V）−（V）線断面図である。
【図６】換気ダクトの取付け工程図で、第一工程を示す説明図である。
【図７】換気ダクトの取付け工程図で、第二工程を示す説明図である。
【図８】換気ダクトの取付け工程図で、第三工程を示す説明図である。
【発明を実施するための形態】
【００１２】
本発明では、前記第一係合支持部が制限する前記左ダクト部及び前記右ダクト部の前記外表面上の前後の移動方向が後方であって、前記第二係合支持部が制限する前記左ダクト部及び前記右ダクト部の前記外表面上の左右の移動方向が、前記中央ダクト部に対して離間する方向であることが好ましい。
【００１３】
また、前記第一係合支持部と前記第二係合支持部が一体形成されていることが好ましい。
【００１４】
また、前記挿入口に挿入される前記挿入部の挿入長さを調節可能とし、前記挿入部の挿入長さを調節することによって、前記第一係合支持部及び前記第二係合支持部の位置を変更可能とすると共に、前記左ダクト部と、前記右ダクト部と、前記中央ダクト部とを組み合わせた前記換気ダクト全体の大きさを変更可能とすることが好ましい。
【００１５】
以下で説明する帽体とは、ヘルメットの最外層を構成するものであり、例えば、強化繊維材(ガラス繊維、カーボン繊維等)に、熱硬化性樹脂材(エポキシ樹脂材、フェノール樹脂材等)を含浸させた強化繊維樹脂材（ＧＦＲＰ、ＣＦＲＰ等）又は、熱可塑性樹脂材（ポリカーボネート等）を用いて、フルフェース形状又はオープンフェース形状に成型したものである。
【００１６】
以下で説明するヘルメットとは、フルフェース型ヘルメット及びオープンフェース型ヘルメットのいずれも含み、帽体の内側に発泡スチロール材、もしくは、この発泡スチロール材と同等の衝撃吸収性能を有する素材を用いて成型された衝撃吸収ライナー、この衝撃吸収ライナーの内側に配設されるウレタン材等でなる頭部パッド、帽体の頬部に対応する左右両側部の内側面に着脱自在に装着された頬パッド等が備えられている。
【００１７】
以下で説明する左右とは、ヘルメットの着用者の右頬、及び左頬に沿った左右方向である。また、以下で説明する前とは、ヘルメットの着用者の顔面側であり、後とは、ヘルメットの着用者の後頭部側である。
【００１８】
以下、本発明に係る一実施形態のヘルメットＡを図１〜図５に基づいて説明する。ここで例示するヘルメットＡは、フルフェース型のものである。
【００１９】
尚、以下で、説明する各実施形態は、本発明を限定するものではない。
【００２０】
ヘルメットＡは、帽体Ａ１の前方にシールドＢが配置され、帽体Ａ１の外表面Ａ１０に頭頂部から後頭部にわたる範囲に換気ダクト１が配置されている。
【００２１】
換気ダクト１は、ヘルメットＡの内面Ａ１１と外表面Ａ１０とを貫通するように設けられた換気口Ａ２０、Ａ２１、Ａ２２、Ａ２３、Ａ２４を覆うと共に、この換気口Ａ２０、Ａ２１、Ａ２２、Ａ２３、Ａ２４から換気される空気のヘルメットＡ外への排気を案内するものである。
【００２２】
換気口Ａ２０は、帽体Ａ１の左右中心部に開口され、換気口Ａ２１、Ａ２２は、換気口Ａ２０を境として左側に、換気口Ａ２３、Ａ２４は、換気口Ａ２０を境として右側に開口されている。
【００２３】
換気口Ａ２０、Ａ２１、Ａ２２、Ａ２３、Ａ２４は、いずれも、換気を効率的に行える最適な場所に開口されている。
【００２４】
換気ダクト１は、換気口Ａ２０を覆う中央ダクト部２と、換気口Ａ２１、Ａ２２を覆う左ダクト部３Ｌ及び換気口Ａ２３、Ａ２４を覆う右ダクト部３Ｒとの三部材から構成されている。
【００２５】
中央ダクト部２は、前端側に走行中に外気を取り入れる取り入れ口２０と、換気口Ａ２０よりも後方側にあって、取り入れ口２０と後方で連通する排気口２１とが形成されており、取り入れ口２０から取り入れられた外気が排気口２１から排気される際の負圧によって、ヘルメットＡ内部に籠った熱気を吸引すると共に、排気口２１から排気できるようにされている。
【００２６】
中央ダクト部２は、帽体Ａ１に対して取り付け部の一例であるビスＡ３０によって、締め付け固定して取り付けられており、このビスＡ３０を外すことによって中央ダクト部２を帽体Ａ１から取り外すことができるようにされている。
【００２７】
また、中央ダクト部２の左右両側部には、左ダクト部３Ｌの右側端部に設けられた挿入部３０Ｌ及び右ダクト部の左側端部に設けられた挿入部３０Ｒが挿入される挿入口２０Ｌ、２０Ｒが形成されている。
【００２８】
この挿入口２０Ｌ、２０Ｒに挿入部３０Ｌ、３０Ｒが挿入された状態で、中央ダクト部２をビスＡ３０によって帽体Ａ１に対して締め付け固定することで、中央ダクト部２と帽体Ａ１とで、左右ダクト部３Ｌ、３Ｒの挿入部３０Ｌ、３０Ｒを挟持するようにしている。
【００２９】
また、中央ダクト部２の前方中央部には、走行中に取り入れ口２０から入る雨水が、換気口Ａ２０に入らないようにする壁部２２が、換気口Ａ２０の前方側の半周分の縁部を囲むように形成されている。
【００３０】
左右ダクト部３Ｌ、３Ｒは、帽体Ａ１に設けられた係合支持部材４Ｌ、４Ｒによる係合支持と、前述の中央ダクト部２と帽体Ａ１とによる挿入部３０Ｌ、３０Ｒの挟持によって、帽体Ａ１に不動状に取り付けられるようにされている。
【００３１】
挿入部３０Ｌ、３０Ｒは、ヘルメットＡの様々なサイズに応じて変動する帽体Ａ１の大きさによって、係合支持部材４Ｌ、４Ｒと挿入口２０Ｌ、２０Ｒとの距離が変化するが、この距離の変化を、挿入口２０Ｌ、２０Ｒに対する挿入部３０Ｌ、３０Ｒの挿入量で吸収するようにされている。
【００３２】
すなわち、ヘルメットＡの様々なサイズに応じて変動する帽体Ａ１の大きさに応じて変化する換気口Ａ２１、Ａ２２と換気口Ａ２３、Ａ２４との左右方向の距離の差を、挿入口２０Ｌ、２０Ｒに対する挿入部３０Ｌ、３０Ｒの挿入量で吸収することで、ヘルメットＡの様々なサイズに対応できるようになっている。
【００３３】
したがって、一種類の大きさの中央ダクト部２及び左右ダクト部３Ｌ、３Ｒを、ヘルメットＡの様々なサイズによって変動する換気口Ａ２１、Ａ２２と換気口Ａ２３、Ａ２４の位置に対応して、最適な部位に配置することができる。
【００３４】
挿入部３０Ｌ、３０Ｒは、図３に示すように、帽体Ａ１の外表面Ａ１０との間に、中央ダクト部２と左右ダクト部３Ｌ、３Ｒとを連通するように曲げ形成され、挿入口２０Ｌ、２０Ｒは、挿入部３０Ｌ、３０Ｒの形状と相似形、且つやや小さい形状として開口されており、中央ダクト部２をビスＡ３０で締め付け固定することで、挿入口２０Ｌ、２０Ｒで挿入部３０Ｌ、３０Ｒを帽体Ａ１の外表面Ａ１０に押し付けるようにし、これによって、左右ダクト部３Ｌ、３Ｒの左右方向へのずれを制限できるようにしている。
【００３５】
尚、左右ダクト部３Ｌ、３Ｒの構成及び係合支持部材４Ｌ、４Ｒの構成を説明するが、左右ダクト部３Ｌ、３Ｒ及び係合支持部材４Ｌ、４Ｒは、中央ダクト部２を境に、左右対称となる形状であるので、以下では、左ダクト部３Ｌ及び係合支持部材４Ｌを説明し、右ダクト部３Ｒ及び係合支持部材４Ｒの説明を省略する。
【００３６】
左ダクト部３Ｌの左側端部には、係合支持部材４Ｌに設定された第一係合支持部４Ａに係合する第一係合部３Ａと、係合支持部材４Ｌに設定された第二係合支持部４Ｂに係合する第二係合部３Ｂとが設けられている。
【００３７】
左ダクト部３Ｌは、前方端が帽体Ａ１の外表面Ａ１０に対して密着し、後方端が帽体Ａ１の外表面Ａ１０との間で排気スペースＳを確保できるように形成されている。
【００３８】
係合支持部材４Ｌは、左ダクト部３Ｌの配置位置において、第一係合支持部４Ａが第一係合部３Ａと、第二係合支持部４Ｂが第二係合部３Ｂと、夫々対面すると共に、係合できる位置に配置されている。
【００３９】
また、係合支持部材４Ｌは、第一係合支持部４Ａと第二係合支持部４Ｂとを、第一係合支持部４Ａが上方に、第二係合支持部４Ｂが下方となるように上下方向に一体形成してなるものであり、帽体Ａ１の外表面Ａ１０に対してビスＡ４０、Ａ４１によって固定状に取り付けられている。
【００４０】
すなわち、係合支持部材４Ｌを第一係合支持部４Ａと第二係合支持部４Ｂとを一体形成した係合支持部材４Ｌによると、係合支持部材４Ｌを帽体Ａ１の外表面Ａ１０に固定状に取り付ければ、第一係合支持部４Ａと第二係合支持部４Ｂを、正確な位置に配置することができる。
【００４１】
以下、第一係合部３Ａと第一係合支持部４Ａとの係合構造及び第二係合部３Ｂと第二係合支持部４Ｂとの係合構造を説明する。
【００４２】
第一係合部３Ａと第一係合支持部４Ａとの係合構造は、前後方向に係脱可能な凹凸係合構造であり、凹側が第一係合部３Ａであり、凸側が第一係合支持部４Ａである。
【００４３】
第一係合支持部４Ａは、係合支持部材４Ｌの前端側の一部を、帽体Ａ１の外表面Ａ１０から、帽体Ａ１の厚み方向に離間させてなる係合空間４０を確保して前方に突出させると共に、前端を円弧状にした嵌合凸部４１が形成されている。
【００４４】
第一係合部３Ａは、前端側に嵌合凸部４１に前方から嵌合するように、前端側に凹む嵌合凹部３０が形成され、嵌合凹部３０が嵌合凸部４１に嵌合したときに、嵌合凹部３０の帽体Ａ１側の壁面３００が係合空間４０に嵌合するようにされている。
【００４５】
この嵌合凸部４１と嵌合凹部３０との嵌合、及び前述の挿入口２０Ｌに対する挿入部３０Ｌの挿入によって、左ダクト部３Ｌの前後方向の移動、及び帽体Ａ１から離間する方向の移動を制限することができる。
【００４６】
また、嵌合凹部３０は、嵌合凸部４１に嵌合した状態で、嵌合凹部３０が接触する嵌合凸部４１Ａの前端付近を回転中心として、左ダクト部３Ｌを左右方向に回転するように形成されている。
【００４７】
具体的には、嵌合凹部３０は、嵌合凸部４１に嵌合した状態で、嵌合凸部４１の前方側周りに、左ダクト部３Ｌを左右方向に回転させるための回転空間３０１が確保できる形状及び大きさにされている。
【００４８】
第二係合部３Ｂは、係合支持部材４Ｌの右側端部（中央ダクト部２側端部）に左側に突出する嵌合凸部３２が形成されている。
【００４９】
第二係合支持部４Ｂは、嵌合凸部３２が右側から嵌合するように、左側に凹ませた嵌合凹部４２が形成されており、嵌合凹部４２に対して嵌合凸部３２を右方向に離間させると共に、嵌合凹部３０を嵌合凸部４１に嵌合させた状態の左ダクト部３Ｌを左方向に回転させることによって、嵌合凸部３２が嵌合凹部４２に嵌合できるようになっている。
【００５０】
この嵌合凸部３２と嵌合凹部４２との嵌合、及び前述の挿入口２０Ｌに対する挿入部３０Ｌの挿入によって、左ダクト部３Ｌの左右方向の移動を制限することができる。
【００５１】
このような換気ダクト１によると、中央ダクト部２をビスＡ３０によって帽体Ａ１に固定し、一方、左ダクト部３Ｌの挿入部３０Ｌを中央ダクト部２に形成された挿入口２０Ｌに挿入すると共に、左ダクト部３Ｌの嵌合凹部３０及び嵌合凸部３２と、係合支持部材４Ｌの嵌合凸部４１及び嵌合凹部４２とを嵌合させることによって、中央ダクト部２と左右ダクト部３Ｌ、３Ｒを換気ダクト１として一体化できると共に、不動状に取り付けることができる。
【００５２】
次に、図６〜図８に基づいて、換気ダクト１の取り付け工程を説明するが、ここでは、左ダクト部３Ｌ及び中央ダクト部２の左半部を図示して説明する。図中、符号Ａ１２は、ビスＡ３０が螺合するビス孔である。
【００５３】
第１工程（図６）：嵌合凸部４１に対して嵌合凹部３０を前方から嵌合する。
【００５４】
このとき、左ダクト部３Ｌを、嵌合凸部３２が嵌合凹部４２から中央ダクト部２側に離間するように配置した状態で、嵌合凸部４１に対する嵌合凹部３０の嵌合を行う。
【００５５】
第２工程（図７）：嵌合凸部４１に対して嵌合凹部３０を嵌合した状態で、左ダクト部３Ｌを左側に回転させて、嵌合凸部３２を嵌合凹部４２に嵌合する。
【００５６】
この嵌合凸部３２を嵌合凹部４２に嵌合させた状態が、左ダクト部３Ｌの帽体Ａ１の外表面Ａ１０に対する配置位置となる。
【００５７】
第３工程（図８）：挿入口２０Ｌに挿入部３０Ｌを挿入させた状態となるように、中央ダクト部２を帽体Ａ１の外表面Ａ１０に配置すると共に、ビスＡ３０によって締め付け固定する。
【００５８】
このとき、中央ダクト部２をビスＡ３０で締め付ける力が、挿入口２０Ｌを介してこの挿入口２０Ｌに挿入した挿入部３０Ｌを帽体Ａ１の外表面Ａ１０に押し付ける力として作用し、この力によって、左ダクト部３Ｌが帽体Ａ１の外表面Ａ１０の曲面に沿って適合するように変形する。
【００５９】
すなわち、中央ダクト部２が締め付け固定されることによって、左ダクト部３Ｌが帽体Ａ１の外表面Ａ１０に対する配置位置に不動状に配置され、中央ダクト部２と一体となる換気ダクト１を形成できる。
【００６０】
以上説明したヘルメットＡによると、前述のように、様々なサイズのヘルメットＡに対して、一種類の大きさの中央ダクト部２及び左右ダクト部３Ｌ、３Ｒで対応できる換気ダクト１を備えることができる。
【００６１】
これにより、一種類の大きさや形状の中央ダクト部２及び左右ダクト部３Ｌ、３Ｒによって換気ダクト１を形成することができるので、成形型の製造コストや部品管理コストを低減でき、これにより、換気ダクト1を有するヘルメットＡの製造コストを低減できる。
【００６２】
また、ヘルメットＡのサイズ毎で変動する換気口Ａ２１、Ａ２２と換気口Ａ２３、Ａ２４との距離の変化に対応して、左右ダクト部３Ｌ、３Ｒを最適な位置に配置できるので、換気口Ａ２１、Ａ２２とＡ２３、Ａ２４の換気効率を低減することなく、換気ダクト１を帽体Ａ１の外表面Ａ１０に正確に取り付けることができる。
【００６３】
したがって、効率的な換気を行える換気ダクト１を有するヘルメットＡを安価に提供することができる。
【符号の説明】
【００６４】
Ａ：ヘルメット  Ａ１：帽体  Ａ１０：外表面  Ａ１１：内面  Ａ２０：換気口
Ａ２１：換気口  Ａ２２：換気口  Ａ２３：換気口  Ａ２４：換気口
Ａ３０:ビス（取り付け部）１：換気ダクト  ２：中央ダクト部
２０Ｌ：挿入口  ２０Ｒ：挿入口  ３Ｌ：左ダクト部  ３Ｒ：右ダクト部
３Ａ：第一係合部  ３Ｂ：第二係合部  ３０Ｌ：挿入部  ３０Ｒ：挿入部
４Ｌ：係合支持部材  ４Ｒ：係合支持部材  ４Ａ：第一係合支持部
４Ｂ：第二係合支持部
【図１】
2015098660.tif 000003
【図２】
2015098660.tif 000004
【図３】
2015098660.tif 000005
【図４】
2015098660.tif 000006
【図５】
2015098660.tif 000007
【図６】
2015098660.tif 000008
【図７】
2015098660.tif 000009
【図８】
2015098660.tif 000010